(57)【要約】      （修正有）【課題】就寝中の人の姿勢に応じて適切に高さ調整できる枕及び枕装置、並びに寝具及び寝具装置を提供する。【解決手段】台座１１の上に、人の頭部を受ける後頭部受け部１２と、該後頭部受け部により頭部を受けたときに首部の裏側に配置される首部受け部１３と、これら後頭部受け部及び首部受け部の外側に配置される側頭部受け部１４とが設けられるとともに、台座と、後頭部受け部、首部受け部及び側頭部受け部との間に、後頭部受け部、首部受け部及び側頭部受け部を個々に上下動可能な昇降機構１５〜１７が設けられている。【選択図】図２
2020182544.tif 000002
【特許請求の範囲】
【請求項１】
台座の上に、就寝時に人の頭部の複数部位をそれぞれ受けることが可能な複数の受け部と、これら受け部と前記台座との間に、各受け部を個々に上下移動可能な昇降機構が設けられていることを特徴とする枕。
【請求項２】
前記受け部は、人の後頭部を受ける後頭部受け部と、該後頭部受け部により後頭部を受けたときに首部の裏側に配置される首部受け部とを有することを特徴とする請求項１記載の枕。
【請求項３】
前記受け部は、さらに、前記後頭部受け部及び首部受け部の両側に配置される側頭部受け部を有することを特徴とする請求項２記載の枕。
【請求項４】
前記側頭部受け部は連結状態とされていることを特徴とする請求項３記載の枕。
【請求項５】
請求項１から４のいずれか一項に記載の枕と、前記昇降機構を駆動するための操作部を有する操作端末とを備えることを特徴とする枕装置。
【請求項６】
前記操作部には、指を触れてスライドさせることにより前記高さ位置情報を入力可能なタッチパネル式の操作パッド部が設けられており、前記枕には、前記操作パッド部で入力された高さ位置情報に基づき前記昇降機構の駆動を制御する駆動制御部が設けられていることを特徴とする請求項５に記載の枕装置。
【請求項７】
前記操作端末は、さらに、前記受け部の特定の高さ位置情報を専用情報として記憶可能な記憶部を有しており、前記駆動制御部は、前記操作パッドで入力された前記高さ位置情報又は前記記憶部に記憶されている前記専用情報に基づき前記昇降機構の駆動を制御することを特徴とする請求項５又は６に記載の枕装置。
【請求項８】
前記操作部には、前記記憶部に記憶されている前記専用情報を前記操作部の操作に基づく高さ位置情報に修正して上書き可能であることを特徴とする請求項７に記載の枕装置。
【請求項９】
前記枕には、使用者の圧力を検知可能な複数の圧力センサが設けられており、前記操作端末は、前記圧力センサで検知された圧力に基づく就寝姿勢情報が表示可能であることを特徴とする請求項５から８に記載の枕装置。
【請求項１０】
前記操作端末は前記枕に無線にて接続可能であることを特徴とする請求項５から９のいずれか一項に記載の枕装置。
【請求項１１】
台座の上に、就寝時に人体の複数部位をそれぞれ受けることが可能な複数の受け部と、これら受け部と前記台座との間に、各受け部を個々に上下移動可能な昇降機構が設けられていることを特徴とする寝具。
【請求項１２】
請求項１１に記載の寝具と、前記昇降機構を駆動するための操作部を有する操作端末とを備えることを特徴とする寝具装置。
【発明の詳細な説明】
【技術分野】
【０００１】
本発明は、高さの調整が可能な枕に係り、使用者にとっての最適高さに調整できる枕及び枕装置、並びに寝具及び寝具装置に関する。
【背景技術】
【０００２】
従来、高さ調整可能な枕として以下のようなものが提案されている。
例えば、特許文献１では、頭部を載置する枕本体部と、該枕本体部の下側に位置するベース部材と、枕本体部をベース部材に対して上下動可能に連結するリンク部材とを備えた枕が開示されている。そして、ラチェット機構を有する駆動部により、枕本体部が水平面に対して傾斜して上昇する機能を備えており、枕部材の下端に位置するパネル部材の両端を上に挙げるとラチェット機構が作用して高さを上昇させるようになっている。
【０００３】
一方、特許文献２には、使用者の頭部と首部の各々の当接部位に対応し、気体を内封可能に構成した複数の圧力袋を有したエアー式枕が開示されており、圧力袋の内封気体量を圧力袋毎に独立して調整可能にしている。具体的には、頭部を支える圧力袋と首部を支える圧力袋との二つの圧力袋が備えられ、操作器を操作することにより、ポンプと弁を動作させて、高さ調整することが記載されている。
【先行技術文献】
【特許文献】
【０００４】
【特許文献１】特開２０１６−１４０７３８号公報
【特許文献２】特開２００２−２３８７１６号公報
【発明の概要】
【発明が解決しようとする課題】
【０００５】
人間はその日の筋肉の状態や骨のゆがみによって、人により理想的なリラックス出来る枕というのは毎日変わってしまう。毎日同じように動いて同じ姿勢を取っている人間はいないためである。また、スマートフォンやタブレット型コンピュータ等の携帯端末の使い過ぎによるストレートネックなどと呼ばれる現代病もある。ここに注目している枕が現状存在しなかったため、専門医が枕を処方しても、最初は良いが、徐々に寝苦しくなってしまう、という問題があった。
特許文献１記載の枕では、枕本体部の全体を上下動させるだけであるから、部分的に上下動させることはできない。特許文献２記載の枕は、特定の圧力袋のみを駆動することで、部分的に上下動させることができるが、就寝中の人の姿勢に応じて適切に高さ調整できるものではない。
【０００６】
本発明は、このような事情に鑑みてなされたもので、就寝中の人の姿勢に応じて適切に高さ調整できる枕及び枕装置、並びに寝具及び寝具装置を提供することを目的とする。
【課題を解決するための手段】
【０００７】
本発明の枕は、台座の上に、就寝時に人の頭部の複数部位をそれぞれ受けることが可能な複数の受け部と、これら受け部と前記台座との間に、各受け部を個々に上下移動可能な昇降機構が設けられている。
【０００８】
この枕は、就寝時に人の頭部の複数部位を受けて、各受け部を個々に上下動することができる。したがって、就寝時の姿勢やその日の筋肉の緊張状態に合わせて、部分的に高低差をつけてより筋肉の緊張状態をリラックスさせることが可能となり、昨今現代人を蝕む、自律神経が興奮し熟睡出来ない、寝つきが悪いなどの問題を解決することが出来る。例えばストレートネックの人は本来頚椎がカーブしていることによって支えられている頭を首の筋肉が硬く緊張していないと頭の安定性が得られず、常に首の筋肉の緊張が取れなくなってしまう病であるが、そのような形状の人も高低差を日々調整することにより、まっすぐになっていた首を正常なカーブとして再構築することも可能となる。
【０００９】
この場合、前記受け部は、人の後頭部を受ける後頭部受け部と、該後頭部受け部により後頭部を受けたときに首部の裏側に配置される首部受け部とを有する構成としてもよい。
後頭部と首部を個別に受けて高さ調整することにより、首から頭部を適切な姿勢で保持することができる。
【００１０】
また、前記受け部は、さらに、前記後頭部受け部及び首部受け部の両側に配置される側頭部受け部を有する構成としてもよい。この場合、前記側頭部受け部は連結状態とされていてもよい。
側頭部受け部を両側に配置することにより、寝返りした場合でも、これを適切に支持することができる。
【００１１】
この枕を用いた枕装置として、前記枕と、前記昇降機構を駆動するための操作部を有する操作端末とを備える。
操作端末を備えることにより、枕に頭部を支持させた就寝姿勢で高さ位置の調整を行うことができ、使用者が、就寝姿勢で高さの調整具合を実感しながら最適高さに設定することができる。
【００１２】
枕装置の一つの実施態様は、前記操作部には、指を触れてスライドさせることにより前記高さ位置情報を入力可能なタッチパネル式の操作パッド部が設けられており、前記枕には、前記操作パッド部で入力された高さ位置情報に基づき前記昇降機構の駆動を制御する駆動制御部が設けられているとよい。
使用者のスライド操作によって高さ調整できるので、高さ位置が視覚的にわかり易くなり、操作性が向上する。
【００１３】
枕装置の他の一つの実施態様は、前記操作端末は、さらに、前記受け部の特定の高さ位置情報を専用情報として記憶可能な記憶部を有しており、前記駆動制御部は、前記操作パッドで入力された前記高さ位置情報又は前記記憶部に記憶されている前記専用情報に基づき前記昇降機構の駆動を制御する。
【００１４】
予め、使用者に最適な高さ位置情報を専用情報として記憶しておき、使用する際には、その専用情報に基づいて最適な高さ位置に設定することができる。また、使用者の操作によって高さ位置を調整することも可能であり、使用者の筋肉の緊張の程度等に応じて適切な高さに設定することができる。
【００１５】
枕装置のさらに他の一つの実施態様は、前記操作部には、前記記憶部に記憶されている前記専用情報を前記操作部の操作に基づく高さ位置情報に修正して上書き可能であるとよい。
使用者の体型等の変化により、最適な姿勢は変化してくるものであり、それに応じて専用情報を書き換えることができるため、常に最適な高さ位置に設定することができる。
【００１６】
枕装置のさらに他の一つの実施態様として、前記枕には、使用者の圧力を検知可能な複数の圧力センサが設けられており、前記操作端末は、前記圧力センサで検知された圧力に基づく就寝姿勢情報が表示可能であるものとしてもよい。
就寝時の圧力に基づく就寝姿勢情報が表示されることにより、使用者は就寝時の姿勢を把握することができ、その姿勢に応じた最適位置に高さ調整することが可能になる。就寝姿勢情報としては例えば寝返り回数が挙げられる。
【００１７】
枕装置のさらに他の一つの実施態様は、前記操作端末は前記枕に無線にて接続可能であるとよく、有線に比べて取り扱いが容易になる。
【００１８】
また、本発明の寝具は、台座の上に、就寝時に人体の複数部位をそれぞれ受けることが可能な複数の受け部と、これら受け部と前記台座との間に、各受け部を個々に上下移動可能な昇降機構が設けられている。
この場合、寝具装置は、前記寝具と、前記昇降機構を駆動するための操作部を有する操作端末とを備える。
【発明の効果】
【００１９】
本発明によれば、就寝中の人の姿勢に応じて適切に高さ調整できるので、筋肉の緊張状態をリラックスさせ、熟睡出来ない、寝つきが悪いなどの問題を解決し、ストレートネックの解消にも有利な、使用者に合わせた最適な枕を提供することができる。
【図面の簡単な説明】
【００２０】
【図１】本発明に係る枕装置の第１実施形態を示す模式図である。
【図２】図１の枕の使用状態を示す断面図である。
【図３】図２に示す枕の平面図である。
【図４】図２に示す枕の異なる位置の断面図である。
【図５】図４に示す状態から頭部支持部を持ち上げた状態を示す断面図である。
【図６】操作端末の機能ブロック部である。
【図７】操作端末の外観を示す正面図である。
【図８】本発明に係る枕の第２実施形態を示す図２同様の断面図である。
【図９】図８に示す枕の平面図である。
【図１０】本発明に係る枕の第３実施形態を示す図２同様の断面図である。
【図１１】図１０に示す枕の平面図である。
【発明を実施するための形態】
【００２１】
以下、本発明の枕及び枕装置の実施形態について説明する。
［第１実施形態］
第１実施形態の枕装置１は、図１に示すように、枕１０とその高さを調整する際に用いられる操作端末５０とを備えている。
枕１０は、図２〜図４に示すように、台座１１の上に、人の後頭部Ｂを受ける後頭部受け部１２と、該後頭部受け部１２により後頭部Ｂを受けたときに首部Ｎの裏側に配置される首部受け部１３と、これら後頭部受け部１２及び首部受け部１３の外側に配置される側頭部受け部１４とが設けられるとともに、台座１１と、後頭部受け部１２、首部受け部１３及び側頭部受け部１４との間に、後頭部受け部１２、首部受け部１３及び側頭部受け部１４を個々に上下動可能な昇降機構１５〜１７が設けられている。側頭部受け部１４は、寝返りしたときに側頭部が配置される位置にこの側頭部を受けるべく後頭部受け部１２及び首部受け部１３の両側に設けられる側部１４ａ，１４ｂと、これら側部１４ａ，１４ｂを後頭部受け部１２の後方で一体に連結する連結部１４ｃとによって構成されている。本発明の受け部は、この第１実施形態では、これら後頭部受け部１２、首部受け部１３、側頭部受け部１４によって構成される。
【００２２】
台座１１は、枕１０全体の下方に配置される大きさに形成される矩形板状の部材である。
後頭部頭部受け部１２、首部受け部１３及び側頭部受け部１４は、それぞれベース板２１と、ベース板２１上に複数並べられたコイルスプリング等の弾性部材２２と、これら弾性部材２２の上に設けられたマット部材２３と、このマット部材２３を覆うカバー部材２４とを有している。
【００２３】
台座１１及びベース板２１は、ポリプロピレン等の硬質プラスチック板材によって構成されている。このうち、ベース板２１は硬質ではあるが、弾性変形可能な仕様とされる。マット部材２３は、弾性を有する発泡樹脂、例えばポリウレタンフォーム等によって構成されている。なお、本実施形態ではマット部材２３は、後頭部受け部１２、首部受け部１３及び側頭部受け部１４の全体を覆う大きさの素材により構成されているが、後頭部受け部１２、首部受け部１３及び側頭部受け部１４でそれぞれ独立したマット部材を設けても良い。
そして、後頭部受け部１２を中央に配置し、その手前に首部受け部１３を配置し、これら後頭部受け部１２及び首部受け部１３の外側を囲むように側頭部受け部１４を配置した状態で、全体がカバー部材２４によって覆われている。カバー部材は、綿、シルク、タオル生地等、枕カバーとして用いられる一般的な素材を用いることができる。
【００２４】
各昇降機構１５〜１７は、この実施形態では、上下方向に延びるシャフト３１と、該シャフト３１を長さ方向（上下方向）に移動可能なアクチュエータ３２との組み合わせにより構成される。この実施形態では、アクチュエータ３２としては、送りねじ機構が用いられており、詳細な図示は省略するが、シャフト３１の外周部に形成されたおねじ部と、該おねじ部を螺合するナット部材と、該ナット部材を回転させるモータ等の駆動部とを有している。シャフト３１は、例えば、その長さ方向に沿って形成されたキー溝にアクチュエータ３２の筐体等に固定されたキー（いずれも図示略）がスライド自在に係合することにより、回転止めがなされており、ナット部材の回転運動によって上下方向にのみ移動できるようになっている。
なお、アクチュエータとしては、送りねじ機構に限らず、直進駆動できるものであれば、リンク機構、ピストン機構等も適用することができる。
【００２５】
この場合、図３に示すように、後頭部受け部１２及び首部受け部１３は、その平面視では矩形状をなしている。後頭部受け部１２は、後頭部Ｂを受けることが可能な平面視がほぼ正方形状に形成されており、その昇降機構１５は、前述したシャフト３１とアクチュエータ３２との組み合わせからなる機構が、四隅部と中央部とにそれぞれ設けられている。首部受け部１３は横方向に長い長方形の平面形状を有しており、その昇降機構は、シャフト３１とアクチュエータ３２との組み合わせからなる機構が、左右に一組ずつ設けられている。
【００２６】
そして、これら後頭部受け部１２及び首部受け部１３の各昇降機構１５，１６において、アクチュエータ３２を同期駆動することで、後頭部受け部１２又は首部受け部１３の姿勢を変えずに上下動させることができる。また、個々のアクチュエータ３２の駆動を変えることにより、例えば、各昇降機構１５，１６の中の一部のアクチュエータ３２を駆動する、あるいは、各アクチュエータ３２の駆動の速度等を異ならせるなどにより、後頭部受け部１２又は首部受け部１３を水平方向に対して傾かせることも可能である。この場合、後頭部受け部１２及び首部受け部１３のベース板２１は、弾性変形可能な硬質プラスチック板材により形成されているので、各アクチュエータ３２の駆動速度が異なる場合等においても、弾性変形しつつ適宜の形状に変化することができる。
図５は図４に示す状態から、後頭部受け部１２のみを若干上昇させた状態を示している。
【００２７】
一方、側頭部受け部１４は、縦に並べられた後頭部受け部１２及び首部受け部１３の両側に配置される両側部１４ａ，１４ｂと、これら側部１４ａ，１４ｂを連結する連結部１４ｃと、が一体に形成されており、後頭部受け部１２と首部受け部１３とが並ぶ部位のうち、首部受け部１３の手前を除く外側三方を囲むように設けられている。
【００２８】
そして、この側頭部受け部１４の場合は、昇降機構１７は、両側部１４ａ，１４ｂの前後端部と、これらの間の中央部と、にそれぞれシャフト３１とアクチュエータ３２との組み合わせからなる機構が設けられている。この側頭部受け部１４の昇降機構１７も、後頭部受け部１２及び首部受け部１３の昇降機構１５，１６と同様、各シャフト３１とアクチュエータ３２との組み合わせからなる機構を同期して駆動することができるとともに、それぞれを個別に駆動できるようになっている。各機構を同じ速度で同期して駆動することにより、側頭部受け部１４の水平姿勢を維持したまま上下動させることができ、駆動速度等を異ならせて駆動するなどにより、側頭部受け部１４を任意の角度に傾かせたり、表面の高さが部分的に異なる凹凸状の形状としたりすることができる。この側頭部受け部１４の場合も、ベース板２１が弾性変形可能な硬質プラスチック板材により形成されているので、各アクチュエータ３２の駆動速度が異なる場合等においても、弾性変形しつつ適宜の形状に変化することができる。
【００２９】
また、後頭部受け部１２、首部受け部１３及び側頭部受け部１４には、それぞれ人の後頭部Ｂ等により作用する圧力を検知する圧力センサ２５が複数個ずつ設けられている。具体的には、マット部材２３の表面に、後頭部受け部１２、首部受け部１３及び側頭部受け部１４に対応する部位に、圧電センサ等を利用した圧力センサ２５が複数個ずつ埋め込まれ、その上からカバー部材２４が覆っており、後頭部Ｂや首部Ｎあるいは側頭部Ｓから受ける圧力を各部で検知できるようになっている。
【００３０】
操作端末５０は、枕１０と有線又は無線で接続される。無線で接続される場合は、枕１０及び操作端末５０のそれぞれに相互通信可能な通信機能が設けられる。
この操作端末５０は、この枕装置１のための専用の端末として構成してもよいが、使用者が保持するスマートフォンや一般のタブレット型コンピュータを操作端末としてもよい。この場合、枕装置１のための専用アプリをスマートフォン等にインストールすることにより、操作端末５０として機能させることができる。図１は、スマートフォンを操作端末５０とした例である。
【００３１】
この実施形態では、操作端末５０には、図６及び図７に示すように、使用者が操作可能な操作部５１と、操作部５１の操作結果等に基づき枕１０の各昇降機構１５〜１７の駆動を制御するための主制御部５２と、操作結果等を記憶可能な記憶部５３と、操作結果等を表示可能な表示部５４と、枕１０との間の通信を行うための通信部５５とを備えている。
なお、枕１０には、操作端末５０からの指示を受けてアクチュエータ３２等の駆動を制御する駆動制御部３５と、操作端末５０の通信部５５に対応する通信部（図示略）とが設けられる。
【００３２】
操作部５１は、実施形態では、電源をＯＮ／ＯＦＦするスイッチ６１と、指を触れることで操作可能なタッチパネル式の操作パッド部６２とを有している。この操作パッド部６２は、表示部５４内に表示されるようになっている。具体的には、操作パッド部６２は、後頭部受け部１２、首部受け部１３、側頭部受け部１４のそれぞれに対応して、帯状のスライド操作部６２１〜６２３が並べられており、各スライド操作部６２１〜６２３において高さの現在位置を示す指示部６３を指でスライドすることにより、後頭部受け部１２、首部受け部１３、側頭部受け部１４のそれぞれの高さ位置情報を入力できるようになっている。
【００３３】
この場合、各スライド操作部６２１〜６２３は、図７に示す例のように、各昇降機構１５〜１７に対応して３本の帯状に形成されており、各昇降機構１５〜１７ごとに操作できるようになっている。これらスライド操作部６２１〜６２３は、図７においては左右方向に沿って形成されており、その上に触れた指を長さ方向にスライドさせると、そのスライド位置に応じて、長さ方向の一端から他端に向けて指示部６３が移動し、その指示部６３の位置に対応して昇降機構１５〜１７が後頭部受け部１２、首部受け部１３、側頭部受け部１４のそれぞれの高さ位置が設定される構成である。つまり、指示部６３が最も左端にあるときに操作対象部（後頭部受け部１２、首部受け部１３、側頭部受け部１４の上端）が最も低い位置であり、最も右端にあるときに最も高い位置となるように設定され、左右方向のどの位置に指示部６３を配置するかで、その位置に対応して操作対象部の高さが設定される。
【００３４】
したがって、このスライド操作部６２１〜６２２の各指示部６３の位置から、後頭部受け部１２、首部受け部１３、側頭部受け部１４のそれぞれの高さ位置を知ることができる。すなわち、このスライド操作部６２１〜６２３は、後頭部受け部１２、首部受け部１３、側頭部受け部１４の高さ位置を表示する表示部を兼ねている。そして、各スライド操作部６２１〜６２３において、指示部６３が対応する後頭部受け部１２、首部受け部１３及び側頭部受け部１４の高さ位置を示すので、枕のどの部分がどの程度の高さであり、これをどの程度昇降させるかということが視覚的にわかり易くなる。
【００３５】
なお、各スライド操作部６２１〜６２３は、対応する各昇降機構１５〜１７の各アクチュエータ３２ごとにスライド操作できるように形成してもよい。例えば、各スライド操作部６２１〜６２３において、それぞれアクチュエータ３２の個数に応じた本数の帯状部分を並列に並べて形成し、各帯状部分において各アクチュエータ３２による対象位置を示す指示部６３をスライド操作できるようにしてもよい。
【００３６】
また、指示部６３の位置で操作対象部の高さ位置を特定するようにしたが、帯状に形成されるスライド操作部６２１〜６２３の中の長さの大小によって操作対象部の高さ位置が特定されるようにしてもよい。つまり、左右方向に沿うスライド操作部６２１〜６２３であれば、指示部６３の長さが「０」のとき、操作対象部が最も低い位置にあり、指で操作することにより指示部６３を長くすれば、その長さに応じて操作対象部の高さが大きくなる構成である。
さらに、スライド操作部６２１〜６２３を表示部５４内に表示されるように設けたが、表示部５４とは別に設けても良い。また、スライド操作部６２１〜６２３を横に長い帯状に形成したが、縦に長い配置として、上下にスライドさせる構成としてもよい。
【００３７】
記憶部５３は、後頭部受け部１２、首部受け部１３、側頭部受け部１４の高さ位置に関する情報が記憶される。使用者は、予め、後頭部受け部１２、首部受け部１３、側頭部受け部１４についての自身の好み等に応じた特定の高さ位置に関する情報を自身の専用情報として記憶部５３に記憶しておくことができる。そして、使用開始時に操作部５１でスイッチ６１をＯＮにすると、専用情報が主制御部５２に読み出され、その専用情報に基づき、後頭部受け部１２、首部受け部１３、側頭部受け部１４を予め記憶しておいた高さ位置に自動的に調整することができる。
【００３８】
また、記憶部５３は、後頭部受け部１２、首部受け部１３、側頭部受け部１４に対する高さ位置情報が操作部５１によって入力されると、後頭部受け部１２、首部受け部１３、側頭部受け部１４の操作後の高さ位置に関する情報が、操作時間の情報とともに記憶される。この操作により発生した高さ位置に関する情報及び操作時間情報を操作情報とする。したがって、スイッチ６１をＯＮしたときは、専用情報に基づき、後頭部受け部１２、首部受け部１３、側頭部受け部１４が所定の高さ位置に配置され、使用者が操作して高さ位置を変更すると、その変更の都度、高さに関する操作情報が記憶部５３に記憶される。
【００３９】
主制御部５２は、記憶部５３に記憶されている高さ位置情報に基づき、あるいは操作部５１から入力された高さ位置情報に基づいて、後頭部受け部１２、首部受け部１３及び側頭部受け部１４を当該高さ位置情報に対応する高さに配置するための駆動信号を枕１０の駆動制御部３５へ通信部５５を介して送信する。
例えば、主制御部５２は、操作部５１のスイッチ６１が操作されて電源ＯＮとなると、記憶部５３の記憶情報から後頭部受け部１２、首部受け部１３及び側頭部受け部１４の高さに関する情報（専用情報）を読み出し、その高さ位置に配置するように駆動信号を送信して、枕１０の駆動制御部３５に対して、後頭部受け部１２、首部受け部１３及び側頭部受け部１４の昇降機構１５〜１７を制御させる。また、使用者が操作部５１を操作して、指示部６３を移動することにより、高さ位置を調整すると、その操作情報に基づいて、指示した高さ位置となるように、対応する後頭部受け部１２、首部受け部１３及び側頭部受け部１４の昇降機構１５〜１７を制御する。また、この操作情報は主制御部５２により記憶部５３に記憶される。
【００４０】
また、この主制御部５２は、記憶部５３に操作部５１からの操作情報が所定量蓄積されると、表示部５４に、専用情報の書き換えをするか否かの入力を促す注意情報を表示する。例えば、記憶部５３に記憶されている専用情報に対して、これとは異なる高さ位置に複数回調整される場合には、その調整された後の高さの例えば平均値が高さ情報として表示部５４に表示され、この高さ位置に専用情報を書き換えるか否かの注意情報が表示され、使用者に選択が求められる。この書き換えの注意情報は、使用者によって高さ位置が調整された回数が所定回数超えた場合などのタイミングで表示される。
【００４１】
使用者は、その注意情報が表示部５４に表示されると、記憶部５３に記憶されている専用情報を表示部５４に表示されている高さ情報に書き換えるか、先に設定しておいた（記憶部５３に記憶されている）専用情報を維持するかを選択できるようになっている。表示部５４に表示される書き換え指示ボタン（図示略）等を押すことにより、専用情報の書き換えが選択された場合には、主制御部５２は、書き換え後の新たな高さ情報を記憶部５３に専用情報として記憶する。これにより、次回の使用時には、新たな専用情報に基づいて高さ位置が調整されるようになる。
なお、この注意情報が表示されなくとも、使用者は、任意に専用情報を読み出して、これを書き換えることができるようになっている。
【００４２】
さらに、主制御部５２には姿勢検知部５６が設けられており、圧力センサ２５からの圧力が姿勢検知部５６に送信され、姿勢検知部５６では、所定時間ごとに、検知された圧力と時間とをセットにして記憶部５３に記憶するようになっている。また、安静状態の正常な就寝姿勢時の各部の圧力が正常時圧力として記憶されており、姿勢検知部５６では、記憶部５３に記憶されている各部の正常時圧力と、圧力センサ２５により検知された圧力の変動結果とを比較して、就寝時の姿勢を分析し、寝返りの回数を把握できるようになっている。寝返りの回数は就寝姿勢情報として表示部５４に表示される。この寝返りの回数が多くなることは、寝苦しくなっていることを示す。
使用者は、表示部５４に表示された就寝姿勢情報に応じて、操作部５１を操作することにより、適正な高さ位置に調整することができる。
【００４３】
表示部５４は、前述したスライド操作部６２１〜６２３、注意情報、就寝姿勢情報等を表示する他、モード選択画面や記憶部内情報等を表示できるようになっている。これらの表示の切り替えのために、切替ボタン６５が表示される。
モード選択画面は、就寝モード、書き換えモード、運動モードを選択できるようになっている。就寝モードは、今まで述べてきた就寝時にスライド操作部６２１〜６２３を操作して枕１０の各部の高さ調整ができるモードであり、スイッチ６１をＯＮにすると、通常は、この就寝モードに設定される。
【００４４】
書き換えモードは、前述した専用情報の書き換えを行うことができるモードであり、注意情報が表示されなくとも、使用者の意思に基づいて高さ位置の調整ができる。例えば、書き換えモードを選択すると、対応する専用情報が表示され、この専用情報を書き換えて更新することができる。
運動モードは、後頭部受け部１２、首部受け部１３及び側頭部受け部１４を強制的に上下動させて、主として首部の運動を行わせるモードであり、予め設定されたプログラムにしたがって、首部の前後伸ばし、斜め方向屈曲などの運動を所定時間行わせる。この運動モード選択時にも、スライド操作部６２１〜６２３が表示され、後頭部受け部１２、首部受け部１３、側頭部受け部１４のそれぞれの高さ位置の調整ができるようになっている。
【００４５】
また、切替ボタン６５を操作して、表示を切り替えることにより、記憶部内情報を表示することができる。表示可能な情報としては、専用情報（初期の高さ情報）、高さ位置の調整履歴、圧力センサの検知情報等であり、これらの情報を確認しながら最適な高さ位置に設定することができる。
【００４６】
このように構成した枕装置１は、操作端末（専用アプリをインストールしたスマートフォン）５０のスイッチ６１をＯＮにすると、後頭部受け部１２、首部受け部１３及び側頭部受け部１４の高さ位置を予め設定しておいた専用情報により、使用者に適切な位置に配置することができる。また、その高さ位置を調整したい場合は、操作端末５０の各スライド操作部６２１〜６２３を操作することにより、自分の好みに合った高さ位置に調整することができる。したがって、熟睡できない、寝つきが悪いなどの問題を解決することができる。
また、ストレートネックのように首の筋肉の緊張が取れなくなっている人にも、最適な姿勢での就寝が可能であり、首を清浄なカーブに再構築することができる。
しかも、これらの操作を操作端末を用いて行うことができ、寝た状態で操作端末を使用しながら、最適な姿勢に制御することができる。
【００４７】
［第２実施形態］
図８及び図９は第２実施形態の枕を示している。この第２実施形態において第１実施形態の枕と共通する部分には同一符号を付して説明を省略する（以下の第３実施形態においても同様とする）。
第１実施形態では、後頭部受け部１２と首部受け部１３とを個別に設け、その外側に側頭部受け部１４を連結状態で配置したが、第２実施形態の枕１００では、側頭部受け部を左右に分離して二つの側頭部受け部１４Ａ，１４Ｂとするとともに、これらの間に、後頭部受け部１２と、首部受け部１３とを配置している。後頭部受け部１２及び首部受け部１３は、これらを前後方向に合わせた長さが、左右の側頭部受け部１４Ａ，１４Ｂとほぼ同じ長さに設定されている。本発明の受け部は、この第２実施形態では、後頭部受け部１２、首部受け部１３、側頭部受け部１４Ａ，１４Ｂによって構成される。
【００４８】
そして、これら後頭部受け部１２、首部受け部１３、側頭部受け部１４Ａ，１４Ｂにそれぞれ昇降機構１５〜１７（図８には１５、１６のみ図示）が設けられている。この実施形態では、二つの側頭部受け部１４ａ，１４Ｂに対応してそれぞれ昇降機構（図示略）が設けられており、両側頭部受け部１４ａ，１４ｂを個別に上下移動することができるようになっている。もちろん、第１実施形態の側頭部受け部１４においても、側部１４ａ，１４ｂを個別に上下移動させることができる。この昇降機構の構成等は第１実施形態のものと同様である。
なお、操作端末は第１実施形態のものとほぼ同じ構成であるが、枕１００に二つの側頭部受け部１４ａ，１４ｂを有することから、操作パッド部６２のスライド操作部も、後頭部受け部１２用、首部受け部１３用、側頭部受け部１４ａ，１４ｂ用の合計４個の帯状に形成するとよい。
この第２実施形態では、就寝中に寝返りをした際に、左右いずれかの側頭部受け部１４Ａ，１４Ｂによって人の側頭部Ｓを受けることができる。この場合、側頭部受け部１４Ａ，１４Ｂが左右に分離して設けられ、それぞれ個別に高さ調整できるので、寝返りの状態によって適切な高さに配置することができる。
【００４９】
［第３実施形態］
図１０及び図１１は第３実施形態の枕を示している。
第１実施形態及び第２実施形態では、人の頭部を後頭部、首部、側頭部の部位別に支持するようにしたが、第３実施形態の枕では、多数の受け部１８を平面状に並べて配置し、頭部を複数の点の集合によって受けるようにしたものである。本発明の受け部は、これら多数の受け部１８によって構成される。図示例では、先端が半球状に形成された受け部１８が縦横に行列をなすように配置されている。これら受け部１８は、ウレタン樹脂等の若干弾性を有する素材によって形成される。
【００５０】
図１１に示すように、例えば縦に８個、横に１１個の行列をなして受け部１８が設けられており、中央部の二点鎖線で囲った６個×５個の受け部１８で主として後頭部Ｂを支持し、その手前の３個×５個の受け部１８で主として首部Ｎを受けるようにする。両側の３列分の受け部１８は通常時は、主として寝返りをしたときの側頭部Ｓを受けるものとする。もちろん、就寝時の姿勢等により、頭部の位置がずれる場合があるので、二点鎖線で囲った部位は頭部の位置の変化に応じて変動する。その場合でも、多数の受け部１８が並んで配置されているので、ずれた位置で後頭部Ｂや首部Ｎを適切に支持することができる。また、使用者の頭の大きさ等によっても、受ける部位は異なるが、この枕１０１であれば、このような使用者の就寝姿勢や頭の大きさ等に応じて、適切な位置で頭部を支持することができる。
【００５１】
そして、各受け部１８にそれぞれ昇降機構１９が設けられている。この昇降機構１９は第１実施形態の昇降機構１５〜１７と同じ構成である。そして、各受け部１８にそれぞれ昇降機構１９が設けられているので、例えば二点鎖線で囲った後頭部Ｂを受ける部位の中であっても、隣接した受け部１８を個別に上下移動することができる。このため、後頭部Ｂや首部Ｎの外面の曲面に応じて適切に受け部１８の高さ位置を調製することができる。また、就寝姿勢で適宜の位置の受け部１８を上下移動させることにより、自身の好みの位置を押圧してマッサージすることも可能である。
【００５２】
操作端末は、第１実施形態及び第２実施形態のものと基本的には同様の構成であるが、受け部１８が多数（図示例では８８個）設けられていることから、これら受け部１８の個々に対応して多数本の帯状のスライド操作部を設けてもよいが、スライド操作部ではなく、図１１の平面視の形態を操作部に平面的に表示して、個々に操作するようにしてもよい。その場合、高さを増大させるか、減少させるかの指示は、指の操作の仕方（例えば長押しと短く叩く操作）によって区別するようにしてもよいし、別途表示した駆動方向の切り替えのためのボタンを操作することによって行うようにしてもよい。
【００５３】
なお、本発明の実施形態は、前記構成のものに限定されるものではなく、細部構成においては、本発明の趣旨を逸脱しない範囲において種々の変更を加えることが可能である。
例えば、昇降機構１９として、シャフト３１とアクチュエータ３２との組み合わせからなる機構を採用したが、袋内に空気や流体を注入し、その圧力を加減することにより上下動させる機構も適用することができる。
【００５４】
前述の実施形態では枕及び枕装置を例に説明したが、敷布団やマットレス等の寝具に適用してもよい。その場合、寝具としては、台座の上に、就寝時に人体の複数部位をそれぞれ受けることが可能な複数の受け部と、これら受け部と台座との間に、各受け部を個々に上下移動可能な昇降機構が設けられる。また、寝具装置としては、その寝具と、昇降機構を駆動するための操作部を有する操作端末とを備える。昇降機構や操作端末等は、枕装置に用いられるものと同様のものを使用できる。
【符号の説明】
【００５５】
１  枕装置
１０  枕
１１  台座
１２  後頭部受け部
１３  首部受け部
１４  側頭部受け部
１５〜１７  昇降機構
１８  受け部
１９  昇降機構
２１  ベース板
２２  弾性部材
２３  マット部材
２４  カバー部材
２５  圧力センサ
３１  シャフト
３２  アクチュエータ
３５  駆動制御部
５０  操作端末
５１  操作部
５２  主制御部
５３  記憶部
５４  表示部
６１  スイッチ
６２  操作パッド部
６２１〜６２３  スライド操作部
６３  指示部
６５  切替ボタン
【図１】
2020182544.tif 000003
【図２】
2020182544.tif 000004
【図３】
2020182544.tif 000005
【図４】
2020182544.tif 000006
【図５】
2020182544.tif 000007
【図６】
2020182544.tif 000008
【図７】
2020182544.tif 000009
【図８】
2020182544.tif 000010
【図９】
2020182544.tif 000011
【図１０】
2020182544.tif 000012
【図１１】
2020182544.tif 000013